(57)【要約】【課題】泥水が飛散し、高温となる環境で使用しても、泥水に対するシール性と耐久性を十分に確保できる密封型転がり軸受を提供することである。【解決手段】内輪１と外輪２の間の軸受空間を内側と外側の２つの接触シール５、６で密封し、内側の接触シール５のシールリップ５ｃを形成する弾性部材５ｂを、耐熱性と耐油性に優れ、特に、高温での耐油性に優れたアクリルゴムとすることにより、外側の接触シール６のシールリップ６ｃで泥水を遮断して、内側の接触シール５の摺接部に泥水が付着しないようにするとともに、温度上昇する軸受空間を直接密封する内側の接触シール５が高温でグリースＡと接触して劣化しないようにして、泥水が飛散し、高温雰囲気となる環境で使用しても、泥水に対するシール性と耐久性を十分に確保できるようにした。【選択図】図２
2006275232.tif 000002
【特許請求の範囲】
【請求項１】
内輪と外輪の間の軸受空間を、弾性部材で形成したシールリップをシール摺接面に接触させる接触シールで密封した密封型転がり軸受において、前記軸受空間を内側と外側の２つの接触シールで密封し、前記内側の接触シールのシールリップを形成する弾性部材をアクリルゴムとしたことを特徴とする密封型転がり軸受。
【請求項２】
前記外側の接触シールのシールリップを形成する弾性部材をニトリルゴムまたはフッ素ゴムとした請求項１に記載の密封型転がり軸受。
【発明の詳細な説明】
【技術分野】
【０００１】
本発明は、内輪と外輪の間の軸受空間を接触シールで密封した密封型転がり軸受に関する。
【背景技術】
【０００２】
ダストや水等が飛散する環境で使用される転がり軸受には、これらが内輪と外輪の間の軸受空間へ侵入するのを防止するために、グリース等の潤滑油が充填された軸受空間を接触シールで密封した密封型転がり軸受が用いられている。接触シールは、ゴム等の弾性部材で形成されたシールリップを内輪や外輪のシール摺接面と接触させて、軸受空間を密封するものである。
【０００３】
この種の密封型転がり軸受には、軸受空間の両側に１つずつの接触シールを装着したものや（例えば、特許文献１参照）、これらの１つずつ装着した接触シールの外側に、さらに非接触のシールドを装着したものがある（例えば、特許文献２、３参照）。特許文献２に記載されたものでは、シールド（遮蔽板）を内輪に取り付けたものと外輪に取り付けたものとに分割し、これらの分割したシールド間にラビリンス隙間を形成している。また、特許文献３に記載されたものでは、シールド（カバー）と内側の接触シールの間にラビリンス隙間を形成している。
【０００４】
一方、自動車のプロペラシャフトのセンター軸支持部や、ドライブシャフトのジョイント軸支持部等に使用される転がり軸受は、車両の床下部位に取り付けられるので、泥水の飛散を受けるとともに、高温の排気ガスが噴射される近傍に配設されることがある。
【０００５】
【特許文献１】実開平７−１０５５５号公報（第１図）
【特許文献２】実公平８−３７１０号公報（第１、２図）
【特許文献３】特開２００１−５０２８８号公報（第１、３〜１０図）
【発明の開示】
【発明が解決しようとする課題】
【０００６】
上述したような泥水の飛散を受ける部位に、特許文献１に記載されたような密封型転がり軸受を使用すると、飛散する泥水が接触シールのシールリップやシール摺接面に付着し、泥水中の泥によってシールリップやシール摺接面が摩耗し、シール性が著しく低下する問題がある。
【０００７】
特許文献２および特許文献３に記載された密封型転がり軸受は、シールドによって泥水が接触シールのシールリップやシール摺接面に直接付着するのは防止できるが、シールドは非接触の隙間部を有するので、泥水がこの隙間部からラビリンス隙間を通って、シールドと接触シールの間に侵入する。このようにシールドと接触シールの間に侵入した泥水は、水分の蒸発によって泥分の濃度が増大するので、この泥分の濃度が増大した泥水が接触シールのシールリップやシール摺接面に付着すると、これらの摩耗が促進される。このため、シール性の低下を十分に防止することはできない。
【０００８】
このような問題に対して、本出願人は、軸受空間を内外２枚の接触シールで密封し、飛散する泥水を外側の接触シールで遮断して、内側の接触シールの摺接部に泥水が付着しないようにした密封型転がり軸受を先に提案している（特願２００５−２９１１６）。
【０００９】
このように軸受空間を内外２枚の接触シールで密封した密封型転がり軸受は、泥水の付着によるシール性の低下は防止できるが、高温の排気ガスが噴射される近傍のように、高温雰囲気となる環境で使用されると、グリースが充填され、２枚の接触シールで密封された軸受空間の温度が上昇しやすく、温度上昇する軸受空間を直接密封する内側の接触シールが高温でグリース等の潤滑油と接触して劣化し、その耐久性が低下する問題がある。
【００１０】
そこで、本発明の課題は、泥水が飛散し、高温雰囲気となる環境で使用しても、泥水に対するシール性と耐久性を十分に確保できる密封型転がり軸受を提供することである。
【課題を解決するための手段】
【００１１】
上記の課題を解決するために、本発明は、内輪と外輪の間の軸受空間を、弾性部材で形成したシールリップをシール摺接面に接触させる接触シールで密封した密封型転がり軸受において、前記軸受空間を内側と外側の２つの接触シールで密封し、前記内側の接触シールの前記シールリップを形成する弾性部材をアクリルゴムとした構成を採用した。
【００１２】
すなわち、軸受空間を内側と外側の２つの接触シールで密封し、内側の接触シールの前記シールリップを形成する弾性部材を、耐熱性と耐油性に優れ、特に、高温での耐油性に優れたアクリルゴムとすることにより、外側の接触シールの面接触する内外２枚のシールリップで泥水を遮断して、内側の接触シールの摺接部に泥水が付着しないようにするとともに、温度上昇する軸受空間を直接密封する内側の接触シールが高温でグリース等と接触して劣化しないようにし、泥水が飛散し、高温となる環境で使用しても、泥水に対するシール性と耐久性を十分に確保できるようにした。
【００１３】
前記外側の接触シールのシールリップを形成する弾性部材を耐摩耗性の優れたニトリルゴムまたはフッ素ゴムとすることにより、泥水が直接付着する外側の接触シールのシールリップの摩耗を抑制して、外側の接触シールで泥水を確実に遮断することができる。
【発明の効果】
【００１４】
本発明の密封型転がり軸受は、軸受空間を内側と外側の２つの接触シールで密封し、内側の接触シールの前記シールリップを形成する弾性部材を、耐熱性と耐油性に優れ、特に、高温での耐油性に優れたアクリルゴムとすることにより、外側の接触シールの面接触する内外２枚のシールリップで泥水を遮断して、内側の接触シールの摺接部に泥水が付着しないようにするとともに、温度上昇する軸受空間を直接密封する内側の接触シールが高温でグリース等と接触して劣化しないようにしたので、泥水が飛散し、高温となる環境で使用しても、泥水に対するシール性と耐久性を十分に確保することができる。
【００１５】
前記外側の接触シールのシールリップを形成する弾性部材を耐摩耗性の優れたニトリルゴムまたはフッ素ゴムとすることにより、泥水が直接付着する外側の接触シールのシールリップの摩耗を抑制して、外側の接触シールで泥水を確実に遮断することができる。
【発明を実施するための最良の形態】
【００１６】
以下、図面に基づき、本発明の実施形態を説明する。この密封型転がり軸受はプロペラシャフトのセンター軸支持部に使用される玉軸受であり、図１に示すように、内輪１と外輪２の間でボール３が保持器４に保持され、グリースＡが充填された軸受空間が、内側と外側の２つの接触シール５、６で密封されている。
【００１７】
図２に示すように、前記各接触シール５、６は、それぞれ芯金５ａ、６ａと弾性部材５ｂ、６ｂとから成る。内側の接触シール５は、外輪２の内周面に設けられた係止溝２ｂに弾性部材５ｂで固定され、そのシールリップ５ｃが内輪１の外周面に設けられたシール摺接面１ａと接触している。また、外側の接触シール６は、内輪１の外周面に設けられた段差部１ｂに芯金６ａを嵌合して固定され、そのシールリップ６ｃが外輪２の内周面に設けられたシール摺接面２ａと接触している。
【００１８】
前記内側の接触シール５の弾性部材５ｂは、耐熱性と耐油性に優れ、特に、高温での耐油性に優れたアクリルゴムとされている。したがって、高温雰囲気となる環境で使用しても、温度上昇する軸受空間を直接密封する内側の接触シール５が高温でグリース等と接触して劣化することはない。
【００１９】
また、前記外側の接触シール６の弾性部材６ｂは耐摩耗性の優れたニトリルゴムまたはフッ素ゴムとされている。したがって、泥水が飛散する環境で使用しても、泥水が直接付着する外側の接触シール６のシールリップ６ｃの摩耗が抑制され、外側の接触シール６で泥水を確実に遮断することができる。
【実施例】
【００２０】
実施例として、内側の接触シールの弾性部材をアクリルゴム、外側の接触シールの弾性部材をニトリルゴムとした密封型転がり軸受（実施例１）と、内側の接触シールの弾性部材をアクリルゴム、外側の接触シールの弾性部材をフッ素ゴムとした密封型転がり軸受（実施例２）を用意した。また、比較例として、内外両方の接触シールの弾性部材をニトリルゴムとした密封型転がり軸受（比較例１）と、内外両方の接触シールの弾性部材をフッ素ゴムとした密封型転がり軸受（比較例２）も用意した。
【００２１】
これらの実施例と比較例の各密封型転がり軸受について、泥水中で軸受を回転させる耐泥水性試験と、高温雰囲気中で軸受を回転させる耐熱性試験とを行なった。各試験の試験条件は以下の通りである。
（１）耐泥水性試験
・回転数  ：５００ｒｐｍ
・  試験時間：３００時間
・  泥水    ：関東ローム粉ＪＩＳ８種（泥分濃度５質量％）
（２）耐熱性試験
・回転数    ：２３００ｒｐｍ
・  試験時間  ：３８０時間
・  雰囲気温度：１３０℃
【００２２】
【表１】
2006275232.tif 000003
【００２３】
表１に、上記耐泥水性試験と耐熱性試験における試験結果を示す。内外両方の接触シールの弾性部材をニトリルゴムまたはフッ素ゴムとした比較例１および比較例２のものは、いずれも耐泥水性試験では良好な評価が得られたが、耐熱性試験で内側接触シールのシールリップにクラックが発生し、ＮＧとなった。これに対して、内側接触シールの弾性部材をアクリルゴム、外側接触シールの弾性部材をニトリルゴムとした実施例１のものと、内側接触シールの弾性部材をアクリルゴム、外側接触シールの弾性部材をフッ素ゴムとした実施例２のものは、いずれも耐泥水性試験で外側接触シールのシールリップが摩耗したり、耐熱性試験で内側接触シールのシールリップにクラックが発生したりすることがなく、両方の試験で良好な評価が得られた。
【００２４】
上述した実施形態では、密封型転がり軸受を玉軸受としたが、本発明に係る密封型転がり軸受は、ころ軸受等の他の種類の転がり軸受にも採用することができる。
【図面の簡単な説明】
【００２５】
【図１】密封型転がり軸受の実施形態を示す縦断面図
【図２】図１の要部を拡大して示す断面図
【符号の説明】
【００２６】
１  内輪
１ａ  シール摺接面
１ｂ  段差部
２  外輪
２ａ  シール摺接面
２ｂ  係止溝
３  ボール
４  保持器
５、６  接触シール
５ａ、６ａ  芯金
５ｂ、６ｂ  弾性部材
５ｃ、６ｃ  シールリップ
【図１】
2006275232.tif 000004
【図２】
2006275232.tif 000005